(57)【要約】      （修正有）【課題】頭部の形状が丸形や細長いといった新生児であっても対応することができ、頭部を圧迫することなく、密着度を高めることができる新生児用頭部冷加熱装置の提供。【解決手段】新生児の側頭部を含む頭部全体を覆う冷加熱媒体が供給されるキャップパッドの表面に第３の断熱および結露防止効果のあるシートを一体的に構成し、かつ、前記キャップパッドの上からキャップパッドＢ全体を覆う伸縮性を有する生地で覆うようにした新生児用頭部冷加熱装置である。【選択図】        図９
2007007184.tif 000002
【特許請求の範囲】
【請求項１】
新生児の後頭部を覆う後頭部片と該後頭部片に連接され新生児の側頭部を覆う側頭部片と、前記後頭部片と連接され新生児の頂頭部から前頭部を覆う前頭部片とからなり、かつ、防水機能を有すると共に熱溶着可能な２枚のシートおよび断熱効果と結露の発生する３枚目のシートの外周を接着すると共に全体的に多数のスポット状接合部を形成し、また、前記後頭部片から前記前頭部片の中心線に沿って接着して流路仕切り部を形成すると共に該流路仕切り部の前記後頭部片および前頭部片の位置において開口部を形成し、さらに、前記側頭部片どうしを弾性紐で接続して全体形状として椀形状となるように形成したキャップパッドと、
前記キャップパッドにおける前記後頭部片の先端に弾性紐等によって一体化され、前記側頭部片と後頭部片および前頭部片を覆う形状に形成されると共に前頭部片の部分が椀形状に形成され、かつ、前記側頭部片を覆う側頭部覆い片から延長され新生児の額部分で結ぶための結び紐片が形成された伸縮可能な生地で構成されたパッドカバーと、
前記接着された２枚のシートに間に冷加熱媒体を流入および流出させるための前記側頭部片に一端が接続され、他端が前記冷加熱媒体を所定の温度に制御するための冷加熱装置に接続された流入パイプと流出パイプと、
から構成したことを特徴とする新生児用頭部冷加熱装置。
【請求項２】
前記前頭部片の先端に折り返し自在にした補助前頭部片を連接して、新生児の頭部形状によって延長したまま、あるいは、折り返して使用することで頭部の大きさの違いに幅広く対応可能としことを特徴とする請求項１記載の新生児用頭部冷加熱装置。
【請求項３】
前記両側頭部片と前記後頭部片との間に紐を取付け、該紐の一方に顎紐の一端を取付け、該顎紐の他端側が前記紐の他方に挿通折り返して顎紐に逢着されている面ファスナーに接着してキャップパッドを新生児の顎に仮固定できるようにしたことを特徴とする請求項１記載の新生児用頭部冷加熱装置。
【請求項４】
前記側頭部片の両端に面ファスナーを取付け、該面ファスナーを接着することでキャップパッドを新生児の頭部に固定し、その後に前記キャップカバーによって本固定するようにしたことを特徴とする請求項１記載の新生児用頭部冷加熱装置。
【発明の詳細な説明】
【技術分野】
【０００１】
本発明は、幼児を含む新生児の頭部に被せ、内部に温度制御された水または液体を流すことで、新生児の頭部温度を制御して治療を行うための新生児用頭部冷加熱装置に関する。
【背景技術】
【０００２】
従来における頭部冷加熱装置としては、例えば、本発明の出願人会社が出願した特開２０００−１３９９８５に開示されている発明がある。この頭部冷加熱装置は葉っぱ状に形成した２枚の防水性薄膜フィルムを全周で冷加熱媒体を流入口と流出口を除いて熱溶着等の手段によって封止すると共に、前記流入口からの冷加熱媒体を装置全体に行き渡らせるための流路形成部を熱溶着等の手段で形成し、かつ、全面に多数の円状溶着部を形成して冷加熱媒体を流しても全体が大きく膨らまないようにした。
【０００３】
そして、前記葉っぱ状の装置における前頭部と一対の側頭部および側頭部どうしを弾性紐で結んで患者の頭部に被せ易いように帽子状とする。さらに、この装置を患者に被せた後に、その上から空気を注入することで膨らんでヘルメット状になる帽子を被せて装置と患者の頭部とが密着するようにしたものである。
【特許文献１】特開２０００−１３９９８５
【発明の開示】
【発明が解決しようとする課題】
【０００４】
ところで、前記した頭部冷加熱装置にあっては、成人を対象としているので弾性紐の伸びる範囲内で頭部の大きさに対応できるようになっているが、新生児を含む新生児のように頭部の形状が異なる場合には形状が一定の従来例の装置では対応することができず、また、装置を外部から覆うヘルメット状の帽子にあっては、頭部が空気圧で固定されてしまうため頭蓋骨が柔らかな幼児を含む新生児が着用した場合には、頭蓋骨が圧迫されるといった問題があった。
【０００５】
本発明は前記した問題点を解決せんとするもので、その目的とするところは、頭部の形状が丸形や細長いといった異なる幼児を含む新生児であっても対応することができ、また、装置を頭部に密着するためのヘッドカバーを布で構成して頭部を圧迫することなく、かつ、密着度を高めることができる新生児用頭部冷加熱装置を提供せんとするにある。
【課題を解決するための手段】
【０００６】
本発明の新生児用頭部冷加熱装置は前記した目的を達成せんとするもので、請求項１の手段は、新生児の後頭部を覆う後頭部片と該後頭部片に連接され新生児の側頭部を覆う側頭部片と、前記後頭部片と連接され新生児の頂頭部から前頭部を覆う前頭部片とからなり、かつ、防水機能を有すると共に熱溶着可能な２枚のシートおよび断熱効果と結露の発生する３枚目のシートの外周を接着すると共に全体的に多数のスポット状接合部を形成し、また、前記後頭部片から前記前頭部片の中心線に沿って接着して流路仕切り部を形成すると共に該流路仕切り部の前記後頭部片および前頭部片の位置において開口部を形成し、さらに、前記側頭部片どうしを弾性紐で接続して全体形状として椀形状となるように形成したキャップパッドと、前記キャップパッドにおける前記後頭部片の先端に弾性紐等によって一体化され、前記側頭部片と後頭部片および前頭部片を覆う形状に形成されると共に前頭部片の部分が椀形状に形成され、かつ、前記側頭部片を覆う側頭部覆い片から延長され新生児の額部分で結ぶための結び紐片が形成された伸縮可能な生地で構成されたパッドカバーと、前記接着された２枚のシートに間に冷加熱媒体を流入および流出させるための前記側頭部片に一端が接続され、他端が前記冷加熱媒体を所定の温度に制御するための冷加熱装置に接続された流入パイプと流出パイプとから構成したものである。
【０００７】
請求項２の手段は、前記した請求項１において、前記前頭部片の先端に折り返し自在にした補助前頭部片を連接して、新生児の頭部形状によって延長したまま、あるいは、折り返して使用することで頭部の大きさの違いに幅広く対応可能としことを特徴とする。
【０００８】
請求項３の手段は、前記した請求項１において、前記両側頭部片と前記後頭部片との間に紐を取付け、該紐の一方に顎紐の一端を取付け、該顎紐の他端側が前記紐の他方に挿通折り返して顎紐に逢着されている面ファスナーに接着してキャップパッドを新生児の顎に仮固定できるようにしたことを特徴とする。
【０００９】
請求項４の手段は、前記した請求項１において、前記側頭部片の両端に面ファスナーを取付け、該面ファスナーを接着することでキャップパッドを新生児の頭部に固定し、その後に前記キャップカバーによって本固定するようにしたことを特徴とする。
【発明の効果】
【００１０】
本発明は前記したように、キャップパッドを３層構造となし表面側のシートを断熱効果を有すると共に結露防止効果を有する材料としたので、キャップパッド内に冷加熱媒体を供給しても熱が外部に放熱されるのを防止でき、かつ、結露することがなく、また、前記キャップパッドの表面を伸縮性を有するパッドカバーで覆うことにより新生児の頭部にキャップパッドを密着させ、かつ、違和感なく固定することができ、さらに、パッドカバーは弾性紐によってキャップパッドと一体化されているのみであるので清掃や消毒時には両者を分離して行えて作業が容易に行える。
【００１１】
また、前頭部片の先端に折り返し自在にした補助前頭部片を連接して、新生児の頭部形状によって延長したまま、あるいは、折り返して使用することで頭部の大きさの違いに幅広く対応可能である。
【００１２】
さらに、２つの側頭部片と後頭部片との間に紐を取付け、この紐に一端が取付けられた顎紐によって新生児の頭部にキャップパッドを仮固定できるようにしたので、キャップパッドの装着位置が必然的に定まる。
【００１３】
また、側頭部片の両端に面ファスナーを取付け、該面ファスナーを接着することでキャップパッドを新生児の頭部に固定できるので、次の、作業であるパッドカバーでキャップパッドを覆う作業を容易に行うことができるので、キャップパッドを確実に固定することができる等の効果を有するものである。
【発明を実施するための最良の形態】
【００１４】
本発明は、新生児の側頭部を含む頭部全体を覆う冷加熱媒体が供給されるキャップパッドの表面に第３の断熱および結露防止効果のあるシートを一体的に構成し、かつ、前記キャップパッドの上からキャップパッド全体を覆う伸縮性を有する生地で覆ったものである。
【実施例１】
【００１５】
以下、本発明に係る新生児用頭部冷加熱装置の一実施例を図面と共に説明する。なお、以下の説明では新生児を対象として説明するが、幼児用としても使用可能になる。
図１、図２において、Ａは冷加熱媒体を流し新生児の頭部を冷却あるいは加熱するためのキャップパッドであり、図３において、Ｂは該キャップパッドＡを新生児の頭部に被せた状態において外側から覆うパッドカバーである。
【００１６】
キャップパットＡは、表面側ウレタンシート１と裏面側ウレタンシート２と、１枚の発泡ウレタンフォーム３とより構成され、全体として平面視において鳥が翼を広げたような形状に形成されている。そして、これらウレタンシート１，２と発泡ウレタンフォーム３（以下、単にウレタンフォームという）は外周縁において熱溶着等の手段によって流入パイプ４と流出パイプ５とが接続する部分を除いて接着されている。なお、前記ウレタンフォーム３は表面側ウレタンシート１側において接着されている。
【００１７】
前記鳥が翼を広げた形状のキャップパッドＡは新生児の頭部に被せた状態において、両翼の部分が新生児の側頭部に当接する一対の側頭部片Ａ１となり、鳥の頭部の部分が新生児の後頭部から頂頭部後ろ側に当接する後頭部片Ａ２となり、鳥の尾の部分が新生児の新生児の頂頭部前側から額部に当接する前頭部片Ａ３となっている。
【００１８】
また、前頭部片Ａ３の先端側には新生児の頭部形状が円形状の場合に折り返して前頭部片Ａ３に重ね、また、頭部形状が細長い場合に延ばして使用する補助前頭部片Ａ３′が延長されている。なお、前頭部片Ａ３と補助前頭部片Ａ３′との境目には、切欠部Ａ３ａを形成して幅を狭くすることで折り返しを容易が容易に行えるようになっている。
【００１９】
そして、このような形状の表裏ウレタンシート１，２とウレタンフォーム３は前記したように外周縁で熱溶着等の手段によって接着されると共に前記前頭部片Ａ３の前記切欠部Ａ３ａから後頭部片Ａ２の中心線に沿って表裏ウレタンシート１，２どうしを接着した流路仕切り部６が形成されている。なお、流路仕切り部６の両先端に近い部分には流通路となる開口部６ａが形成されている。
【００２０】
また、前記側頭部片Ａ１、頂頭部片Ａ２および前頭部片Ａ３には表裏ウレタンシート１，２を接着してスポット状接合部７が多数形成され、このスポット状接合部７によって冷加熱媒体が供給された時に膨らみ過ぎないように、かつ、冷加熱媒体が平均して流れるように形成されている。
【００２１】
さらに、図１に示す展開状態の表裏ウレタンシート１，２とウレタンフォーム３を帽子状にするために、前記各側頭部片Ａ１どうしを３本の弾性紐８で結ぶことによって図４〜図９に示すようなウレタンフォーム３を上側にして後頭部片Ａ２側が膨らんだ形状となるものである。また、前記側頭部片Ａ１の両端には面ファスナー１０が取付けられており、前記膨らんだ状態のキャップパッドＡを被って額の部分で面ファスナー９どうしを接着して仮固定できるものである。
【００２２】
なお、前記後頭部片Ａ２と一方の側頭部片Ａ１とに形成された孔には麻等の紐１０が挿通され、また、後頭部片Ａ２と他方の側頭部片Ａ１に形成された孔には弾性紐１１が挿通されている。そして、弾性紐１１には図４以降で示す起毛状の平紐からなる顎紐１２の一端が取付けられ、該顎紐１２の他端は紐１０に挿通し、かつ、折り返されて先端が前記弾性紐１１側の顎紐１２に逢着されている面ファスナー１２ａすることでキャップパッドＡは新生児の頭部に対して固定状態となる。
【００２３】
なお、前記顎紐１２は新生児の肌に直接当たるものであることから、肌触りがよく、かつ、面ファスナー１２ａとの接着が良好なニットで構成することが望ましい。また、前記した説明では、一方の紐１１を弾性紐として説明したが、この弾性紐を他の紐１０と同様に麻製等の紐としてもよい。この２つの紐１０，１１を麻等の紐とすることで顎紐１２を引っ張った時に紐が切断されることがなくなるので、弾性紐よりも好ましい。従って、以下の説明では紐１０，１１として説明する。
【００２４】
次に、図３に示すパッドカバーＢの詳細について説明するに、比較的弾性を有する化学繊維等の生地で形成されており、前記膨らんだ状態の後頭部片Ａ２から前頭部片Ａ３の全体と密着するように膨らみ部Ｂ１′を有する頭部覆い片Ｂ１と、前記側頭部片Ａ１と密着する形状の側頭部覆い片Ｂ２とから構成されている。なお、側頭部覆い片Ｂ２の先端側には結び紐片Ｂ３が延長して形成されている。そして、頭部覆い片Ｂ１の後端には２つの孔が形成され、この孔と後頭部片Ａ２に形成された前記紐１０，１１を挿通するための孔を利用して弾性紐によって連結され一体化されている。
【００２５】
また、前記頭部覆い片Ｂ１の先端には面ファスナーの一方１３が逢着されており、該面ファスナーの一方１３と接着される面ファスナーの丸状の他方１４が同一面に３個逢着されている。また、前記丸状の他方１４が逢着されている部分には前記頭部覆い片Ｂ１がキャップパッドＡから浮き上がるのを防止するための弾性止め紐１５の一端が取付けられており、この弾性止め紐１を前記弾性紐８を挿通した後に先端を頭部覆い片Ｂ１の孔１６に挿通して係止することで浮き上がりを防止している。
【００２６】
次に、図４に示すように、帽子状となっているキャップパッドＡおよび該キャップパッドＡと一体的に取付けられているパッドカバーＢを利用して新生児の頭部を冷却あるいは加熱するために、新生児の頭部に被せる手順について図４〜図９の図面と共に説明する。なお、この説明では新生児の頭部が細長いため補助前頭部片Ａ３′を延ばして装着する場合である。
【００２７】
先ず、顎紐１２の一端が紐１１に取付けられた状態で、かつ、パットカバーＢをキャップパットＡで覆っていない図４の状態において、頂頭部が膨らんだ状態となっているキャップパッドＡを新生児の頭部に被せる（図５参照）。次いで、一端が紐１１に取付けられている顎紐１２の他端を紐１０に挿通して折り返して顎紐１２側に逢着されている面ファスナー１２ａに接着してキャップパッドＡを新生児の頭部に仮固定する（図６参照）。
【００２８】
そして、側頭部片Ａ１の先端に取付けられている面ファスナー９どうしを前頭部片Ａ３と側頭部片Ａとの隙間が発生しないように接着する（図６参照）。なお、顎紐１２を利用して仮固定することで、新生児の頭部に対してキャップパッドは必然的に装着が定まりファスナー９による固定を容易となる。
【００２９】
この状態にあっては、キャップパッドＡは新生児の頭部に対して密着状態となっていないので、パッドカバーＢをキャップパッドＡの上面に被せ（図７参照）、次いで、頭部覆い片Ｂ１の先端を引き下げるようして引っ張って、該頭部覆い片Ｂ１によってキャップパッドＡの後頭部片Ａ２および前頭部片Ａ３が頭部に密着するようにする。
【００３０】
その後、左右の結び紐片Ｂ３を新生児の額の部分で結んで（図８参照）、該結んだ部分の裏面側から垂れ下がっている頭部覆い片Ｂ１の先端を、前記結び紐片Ｂ３を覆うように折り返して一方の面ファスナー１３を所望の丸状の面ファスナーに接着して固定することで、キャップパッドＡは新生児の頭部に対して密着状態で固定される。
【００３１】
この状態において、流入パイプより冷加熱装置（図示せず）によって温度調節された水や温水等の冷加熱媒体を流すことで、該冷加熱媒体は図１において左側の側頭部片Ａ１から流れ込み、該流れ込んだ冷加熱媒体は後頭部片Ａ２に流れ込み、かつ、冷加熱媒体の一部を流路仕切り部６に形成された上側の開口部６ａから右側の側頭部片Ａ１に流れると共に大多数の冷加熱媒体は流路仕切り部分で遮られて前頭部片Ａ３の左側に流れ込む。
【００３２】
左側の前頭部片Ａ３に流れ込んだ冷加熱媒体は下側の開口部６ａおよび補助前頭部片３′を介して右側の前頭部片Ａ３に流れて、前記上側の開口部６ａからの冷加熱媒体と共に右側の側頭部片Ａ１  Ｕ流れ込み流出パイプ５から冷加熱装置に戻され、再び、温度調節された冷加熱媒体は流入パイプ４よりキャップパッドＡ内に流れ込むので、キャップパッドＡの全体が万遍なく冷加熱媒体が流れて温度班が発生することがないものである。
【００３３】
また、キャップパッドＡの上面（パッドカバーＢと接する面）にはウレタンフォーム３がウレタンシート１と一体化されているので、室温等の外気温度に対して断熱効果を有すると共に結露を防止することができる。
【００３４】
図１０は新生児の頭部が短い場合の装着例を示すものであるが、頭部が短い場合には前記したように前頭部片Ａ３に連接されている補助前頭部片Ａ３′を延ばしたままでは、該補助前頭部片Ａ３′が顔面に垂れ下がってしまう。そこで、この実施例にあっては、凹部Ａ３ａの部分から前面側に折り返して前頭部片Ａ３に重ねた状態とする。以下、前記した実施例の図５からの操作の手順を行って装着することで、新生児の頭部を冷却したり加熱したりすることができる。なお、補助前頭部片Ａ３′には折り畳まれることで冷加熱媒体が補助前頭部片Ａ３′内に流れ込むことはない。
【図面の簡単な説明】
【００３５】
【図１】本発明の新生児用頭部冷加熱装置におけるキャップパッドを展開した状態の平面図である。
【図２】同上のＡ−Ａ線断面図である。
【図３】パッドカバーを展開した状態の平面図である。
【図４】新生児の頭部に被せようとする状態を示す斜視図である。
【図５】同上の頭部に被せ面ファスナーを接着した状態の斜視図である。
【図６】同上の状態から顎紐を利用して固定した状態の斜視図である。
【図７】同上の状態からパッドカバーを被せようとしている状態の斜視図である。
【図８】同上の状態からパッドカバーの結び紐片でキャップパッドを固定した状態の斜視図である。
【図９】全ての作業が終了してキャップパッドを固定した状態の斜視図である。
【図１０】前途部片を折り返して使用する場合の斜視図である。
【符号の説明】
【００３６】
Ａ          キャップパッド
Ｂ          パッドカバー
Ａ１        側頭部片
Ａ２        後頭部片
Ａ３        前頭部片
Ａ３′      補助前頭部片
Ｂ１        頭部覆い片
Ｂ２        側頭部覆い片
Ｂ３        結び紐片
４          流入パイプ
５          流出パイプ
６          流路仕切り部
７          スポット状接合部
８，１１    弾性紐
９          面ファスナー
１０        紐
【図１】
2007007184.tif 000003
【図２】
2007007184.tif 000004
【図３】
2007007184.tif 000005
【図４】
2007007184.tif 000006
【図５】
2007007184.tif 000007
【図６】
2007007184.tif 000008
【図７】
2007007184.tif 000009
【図８】
2007007184.tif 000010
【図９】
2007007184.tif 000011
【図１０】
2007007184.tif 000012